(57)【特許請求の範囲】
【請求項１】
ニアロールとタッチロールとを有し、ウェブを順次ニアロールおよびタッチロールを経て外方に送り出す巻取ユニットと、
巻取ユニットに対して近接自在に配置された旋回自在のターレットと、
ターレットに固着されるとともにタッチロールに当接自在の一対の巻取軸と、
ターレットに固着され、一対の巻取軸を結ぶ直線に対して直交する直線上配置され、ターレットの旋回により一対の巻取軸とともに旋回する一対の案内ローラ部と、
巻取ユニット近傍に揺動自在に配置され、ウェブを巻取ユニット近傍まで移動させる可動アームと、
巻取ユニットに設けられた第１および第２カッタとを備え、
一対の巻取軸はウェブが巻取られた旧巻取軸と新巻取軸とからなり、
案内ローラ部は固定ローラと、固定ローラに対して離れることができる可動ローラとからなり、
一対の巻取軸が粘着テープ無の場合に、ターレットが１８０°旋回して旧巻取軸が巻取ユニットから離れ新巻取軸が巻取ユニット側にきて、巻取ユニットから送り出されたウェブが一方の案内ローラ部に巻付けられた際、巻取ユニットが新巻取軸に接近してタッチロールが新巻取軸に当接し、可動アームによって巻取ユニットと一方の案内ローラとの間のウェブを巻取ユニット側へもってきて、第１カッタによりウェブを切断し、
一対の巻取軸が粘着テープ有の場合に、ターレットが１８０°旋回して旧巻取軸が巻取ユニットから離れ新巻取軸が巻取ユニット側にきて、巻取ユニットから送り出されたウェブが一方の案内ローラ部に巻付けられた際、可動ローラを固定ローラから離して巻取ユニット側へ延在させるとともに、巻取ユニットが新巻取軸に接近してタッチロールが新巻取軸に当接して第２カッタによりウェブを切断することを特徴とする巻取軸切替装置。
【発明の詳細な説明】
【０００１】
【発明の属する技術分野】
本発明は印刷機またはコータ等に配置され、一対の巻取軸間においてウェブの切替を行なうことができる巻取軸切替装置に関する。
【０００２】
【従来の技術】
従来、印刷機またはコータ等に、巻取ユニットと一対の巻取軸とを有する巻取軸切替装置が配置されている。すなわち印刷機またはコータで処理されたウェブは、一方の巻取軸に巻取られた後、他方の巻取軸に切替えられて他方の巻取軸に巻取られていく。
【０００３】
このような巻取軸の切替時にはアキュームレータ等を用いてラインが一時的に停止して、ウェブの切替えおよびウェブの切断が行なわれる場合がある。
【０００４】
【発明が解決しようとする課題】
ところで、巻取軸の切替時に、巻取軸には予め粘着テープが取付けられており、巻取軸にウェブが巻取られる際、ウェブ先端がこの粘着テープに接着されて巻取られていく。
【０００５】
他方、巻取軸に粘着テープが取付けられておらず、ウェブ先端を巻取軸に巻き込むようにしてウェブを巻取る場合もある。
【０００６】
このように巻取軸には粘着テープが予め取付けられているものと、粘着テープが取付けられていないものがあるが、巻取軸の粘着テープの有無によって巻取軸切替装置はその構造が異っている。
【０００７】
本発明はこのような点を考慮してなされたものであり、巻取軸の粘着テープの有無にかかわらずウェブの切替をスムースに行なうことができる巻取軸切替装置を提供することを目的とする。
【０００８】
【課題を解決するための手段】
本発明は、ニアロールとタッチロールとを有し、ウェブを順次ニアロールおよびタッチロールを経て外方に送り出す巻取ユニットと、巻取ユニットに対して近接自在に配置された旋回自在のターレットと、ターレットに固着されるとともにタッチロールに当接自在の一対の巻取軸と、ターレットに固着され、一対の巻取軸を結ぶ直線に対して直交する直線上配置され、ターレットの旋回により一対の巻取軸とともに旋回する一対の案内ローラ部と、巻取ユニット近傍に揺動自在に配置され、ウェブを巻取ユニット近傍まで移動させる可動アームと、巻取ユニットに設けられた第１および第２カッタとを備え、一対の巻取軸はウェブが巻取られた旧巻取軸と新巻取軸とからなり、案内ローラ部は固定ローラと、固定ローラに対して離れることができる可動ローラとからなり、一対の巻取軸が粘着テープ無の場合に、ターレットが１８０°旋回して旧巻取軸が巻取ユニットから離れ新巻取軸が巻取ユニット側にきて、巻取ユニットから送り出されたウェブが一方の案内ローラ部に巻付けられた際、巻取ユニットが新巻取軸に接近してタッチロールが新巻取軸に当接し、可動アームによって巻取ユニットと一方の案内ローラとの間のウェブを巻取ユニット側へもってきて、第１カッタによりウェブを切断し、一対の巻取軸が粘着テープ有の場合に、ターレットが１８０°旋回して旧巻取軸が巻取ユニットから離れ新巻取軸が巻取ユニット側にきて、巻取ユニットから送り出されたウェブが一方の案内ローラ部に巻付けられた際、可動ローラを固定ローラから離して巻取ユニット側へ延在させるとともに、巻取ユニットが新巻取軸に接近してタッチロールが新巻取軸に当接して第２カッタによりウェブを切断することを特徴とする巻取軸切替装置である。
【０００９】
本発明によれば、一対の巻取軸間において切替えを行なう際、まず一対の巻取軸がターレットにより旋回して、新しい巻取軸が巻取ユニット側へくる。その後巻取軸に粘着テープが無い場合は可動アームによってウェブを巻取ユニット近傍まで移動させて、ウェブを第１カッタによって切断する。巻取軸に粘着テープが有る場合は、下方に位置する案内ローラ部の可動ローラが巻取ユニット側へ延在してウェブを巻取ユニット下方へ移動させ、ウェブを第２カッタによって切断する。
【００１０】
【発明の実施の形態】
以下、図面を参照して本発明の実施の形態について説明する。図１乃至図１５は本発明による巻取軸切替装置の一実施の形態を示す図である。
【００１１】
まず、図１（ａ）（ｂ）により、巻取軸切替装置について説明する。図１（ａ）（ｂ）に示すように、巻取軸切替装置はウェブ１５の巻堅さを調整するタッチロール６、ニアロール７およびガイドロール９を有する巻取ユニット３と、巻取ユニット３のタッチロール６に当接自在に配置されるとともに旋回するターレット１２に固着された一対の巻取軸１ａ，１ｂとを備えている。
【００１２】
このうち巻取ユニット３はウェブ１５を繰り出すものであり、ウェブ１５はガイドロール９からニアロール７を経てタッチロール６によって巻取軸１ａ，１ｂに巻取られるようになっている。
【００１３】
またターレット１２には、一対の巻取軸１ａ，１ｂに対して直交する位置に一対の案内ローラ部２，２が取付けられている。さらに巻取ユニット３の下方には、ウェブ１５を巻取ユニット３側へ移動させる可動アーム４が揺動自在に設けられている。
【００１４】
この可動アーム４の先端には、ウェブ１５を案内するガイドロール１０が設けられており、さらにガイドロール１０の近傍にはウェブ１５を巻取軸１ａ，１ｂに対して押付けるニップロール８が取付けられている。
【００１５】
ところで一対の案内ローラ部２，２は各々固定ローラ２ａと、この固定ローラ２ａに対して可動となっている可動ローラ２ｂとを有し、可動ローラ２ｂは固定ローラ２ａから延びるガイド１４に沿って移動するようになっている。
【００１６】
また巻取ユニット３の上部および下部には、第１カッタ５ａおよび第２カッタ５ｂが各々設けられている。第１カッタ５ａおよび第２カッタ５ｂはロッドレスシリンダ１１に固着されており、ウェブ１５の停止時にウェブ１５の幅方向に移動してウェブ１５を切断するようになっている。
【００１７】
次にこのような構成からなる本実施例の作用について説明する。
まず巻取軸１ａ，１ｂによるウェブ１５の巻取開始時について述べる。ウェブ１５は図示しない印刷機またはコータ等から巻取ユニット３まで送られ、その後一対の巻取軸１ａ，１ｂに巻取られる。この場合、巻取軸１ａ，１ｂに予め粘着テープが取付けられていると、ウェブ１５の先端を粘着テープにより確実に接着させることができ、巻取軸１ａ，１ｂによる巻取作用を確実に行なうことができる。
【００１８】
他方、巻取軸１ａ，１ｂに粘着テープが取付けられていない場合、ウェブ１５の先端を巻取軸１ａ，１ｂに巻込む必要があるのでウェブ１５の先端の巻取りに失敗することも考えられるが、粘着テープがない分だけ巻取軸１ａ，１ｂ回りのウェブ１５に凹凸が付きにくいという利点がある。
【００１９】
本実施の形態においては、まず巻取軸１ａ，１ｂに粘着テープがない場合の作用について、図２乃至図１１により説明する。
【００２０】
まず図２に示すように、旧巻取軸１ｂの回りにウェブ１５が所定の巻取径で巻取られる（図２参照）。この場合、巻取ユニット３のタッチロール６が、旧巻取軸１ｂのウェブ１５に当接して、ガイドロール９からニアロール７を経て送り出されるウェブ１５を旧巻取軸１ｂの回りに巻取るとともに旧巻取軸１ｂを回転させる。
【００２１】
次に図３に示すように、巻取ユニット３が旧巻取軸１ｂ回りのウェブ１５から離れる。次にターレット１２が反時計方向に１８０°旋回して、新巻取軸１ａが巻取ユニット３側にくる（図４）。このとき、巻取ユニット３からのウェブ１５が下方に位置する案内ローラ部２に巻付けられる。
【００２２】
次に図５に示すように巻取ユニット３が新巻取軸１ａに接近し（図５）、巻取ユニット３のタッチロール６が新巻取軸１ａに当接する（図６）。
【００２３】
次に図７に示すように、可動アーム４が反時計方向に揺動して可動アーム４のガイドロール１０によってウェブ１５を巻取ユニット３側へもってくる。
【００２４】
次に図８に示すように、可動アーム４のニップロール８がウェブ１５を新巻取軸１ａに押付ける。次に巻取ユニット３および一対の巻取軸１ａ，１ｂを含むライン全体が停止し、図９に示すように巻取ユニット３に設けられて第１カッタ５ａによって停止しているウェブ１５が幅方向に切断される。
【００２５】
その後タッチロール６によって新巻取軸１ａがわずかに逆回転するとともに、新巻取軸１ａ側のウェブ１５先端にエアが吹付けられて、新巻取軸１ａ回りのウェブ１５先端の折返しが修正される。次に図１０に示すように、巻取ユニット３の運転が再開され、巻取ユニット３のタッチロール６によって新巻取軸１ａが回転を再開する。同時に図１１に示すように、ニップロール８が新巻取軸１ａから離れるとともに、可動アーム４が時計方向に揺動して巻取軸１ａ，１ｂの切替作用が終了する。
【００２６】
次に巻取軸１ａ，１ｂに粘着テープが取付けられている場合の作用について、図１２乃至図１５により説明する。テープが取付けられている場合、ターレット１２が旋回するまでの作用は、図２乃至図４に示すテープが取付けられていない場合の作用と略同一である。
【００２７】
次にターレット１２が旋回して新巻取軸１ａが巻取ユニット３側へくると、図１２に示すように下方に位置する案内ローラ部２のうち可動ローラ２ｂがガイド１４に沿って巻取ユニット３側へ延びる。次に図１３に示すように、巻取ユニット３が新巻取軸１ａ側へ接近する。この場合、下方に位置する案内ローラ部２の可動ローラ２ｂによって巻取ユニット３からのウェブ１５が巻取ユニット３の下方へ向って略垂直に延びるので、ウェブ１５が新巻取軸１ａの粘着テープに接着することはない。その後巻取ユニット３および一対の巻取軸１ａ，１ｂを含むライン全体が停止する。
【００２８】
次に図１４に示すように、巻取ユニット３のタッチロール６が新巻取軸１ａに当接する。その後第２カッタ５ｂによってウェブ１５が切断され、その後タッチロール６によって新巻取軸１ａわずかに逆回転するとともに、ウェブ１５の先端が新巻取軸１ａの粘着テープに接着される。このようにしてウェブ１５の先端の折返しが修正され、次に巻取ユニット３のタッチロール６によって新巻取軸１ａが回転して、巻取軸１ａ，１ｂの切替作用が終了する。
【００２９】
以上のように本実施の形態によれば、粘着テープの有無にかかわらず、一対の巻取軸１ａ，１ｂ間における巻取軸の切替作用を確実かつスムースに行なうことができる。
【００３０】
【発明の効果】
以上のように本発明によれば、一対の巻取軸に粘着テープが取付けられているか否かにかかわらず、一対の巻取軸間における巻取軸の切替作用を確実かつスムースに行なうことができる。
【図面の簡単な説明】
【図１】本発明による巻取軸切替装置の一実施の形態を示す図。
【図２】巻取軸がテープを有しない場合の巻取軸切替装置の作用を示す図。
【図３】巻取軸がテープを有しない場合の巻取軸切替装置の作用を示す図。
【図４】巻取軸がテープを有しない場合の巻取軸切替装置の作用を示す図。
【図５】巻取軸がテープを有しない場合の巻取軸切替装置の作用を示す図。
【図６】巻取軸がテープを有しない場合の巻取軸切替装置の作用を示す図。
【図７】巻取軸がテープを有しない場合の巻取軸切替装置の作用を示す図。
【図８】巻取軸がテープを有しない場合の巻取軸切替装置の作用を示す図。
【図９】巻取軸がテープを有しない場合の巻取軸切替装置の作用を示す図。
【図１０】巻取軸がテープを有しない場合の巻取軸切替装置の作用を示す図。
【図１１】巻取軸がテープを有しない場合の巻取軸切替装置の作用を示す図。
【図１２】巻取軸がテープを有する場合の巻取軸切替装置の作用を示す図。
【図１３】巻取軸がテープを有する場合の巻取軸切替装置の作用を示す図。
【図１４】巻取軸がテープを有する場合の巻取軸切替装置の作用を示す図。
【図１５】巻取軸がテープを有する場合の巻取軸切替装置の作用を示す図。
【符号の説明】
１ａ，１ｂ  巻取軸
２  案内ローラ部
２ａ  固定ローラ
２ｂ  可動ローラ
３  巻取ユニット
４  可動アーム
５ａ  第１カッタ
５ｂ  第２カッタ
１２  ターレット
１５  ウェブ
【図１】
0003640490.tif 000002
【図２】
0003640490.tif 000003
【図３】
0003640490.tif 000004
【図４】
0003640490.tif 000005
【図５】
0003640490.tif 000006
【図６】
0003640490.tif 000007
【図７】
0003640490.tif 000008
【図８】
0003640490.tif 000009
【図９】
0003640490.tif 000010
【図１０】
0003640490.tif 000011
【図１１】
0003640490.tif 000012
【図１２】
0003640490.tif 000013
【図１３】
0003640490.tif 000014
【図１４】
0003640490.tif 000015
【図１５】
0003640490.tif 000016